(57)【特許請求の範囲】
【請求項１】
つまみ本体に表示板を取り付けてなる電子部品用のつまみにおいて、
前記つまみ本体と表示板間には、つまみ本体又は表示板のいずれか一方に設けられて面方向に伸びる弾性変形するアームと、
前記表示板又はつまみ本体のいずれか一方に設けられて表示板をつまみ本体上に載置して回転することで前記アームに係合する係止部とからなる係合機構が設けられていることを特徴とするつまみ。
【請求項２】
前記表示板は、前記アームによって前記つまみ本体に対して所定の隙間を設けた状態で上下動自在に支持され、且つ表示板にはつまみ本体の下側に設置したスイッチ機構を押圧する押圧部を設けたことを特徴とする請求項１記載のつまみ。
【発明の詳細な説明】
【０００１】
【発明の属する技術分野】
本発明は各種電子部品に使用される表示板を取り付けたつまみに関するものである。
【０００２】
【従来の技術】
従来各種電子部品に使用されるつまみの表面には金属製の表示板を貼り付ける場合があった。これは、つまみ自体を多色にしたい場合やつまみの表面に各種表示（文字、図形、記号）を表示したい場合があるからである。しかし、表示板を金属製とすると色彩に限りがあり、また高級感を出すことができなかった。
【０００３】
一方、表示板をモールド樹脂製とすればつまみを多彩な色彩とすることができ高級感を出すことができる。しかし、モールド樹脂製の表示板を、つまみ本体に確実に取り付けるのに、スナップイン方式、即ち表示板から突出するアームの先端に設けられた爪部をつまみ本体に設けた係合穴に挿入して、両者を係合する方式を用いた場合、つまみ本体の下面に爪部が突出した状態となるため、つまみの厚みが厚くなるという問題があった。
【０００４】
この問題を解決するには、表示板の下面に突起を設けてこれをつまみ本体に設けた穴に挿入し、この穴から突出した前記突起の先端を熱カシメしてつぶすようにすればよい。しかしながら、この固定方式の場合、つまみ本体に表示板を取り付ける工程の他に別途熱カシメ工程が必要になるので製造コストの低減化が図れないという問題がある。
【０００５】
【発明が解決しようとする課題】
本発明は上述の点に鑑みてなされたものでありその目的は、高級感があり、薄型化が図れ、組み立ての容易なつまみ及びこれを用いた回転式電子部品を提供することにある。
【０００６】
【課題を解決するための手段】
上記問題点を解決するため本発明は、つまみ本体に表示板を取り付けてなる電子部品用のつまみにおいて、つまみ本体と表示板間には、つまみ本体又は表示板のいずれか一方に設けられて面方向に伸びる弾性変形するアームと、表示板又はつまみ本体のいずれか一方に設けられて表示板をつまみ本体上に載置して回転することでアームに係合する係止部とからなる係合機構が設けられていることを特徴とする。
【０００７】
また、表示板は、アームによってつまみ本体に対して所定の隙間を設けた状態で上下動自在に支持され、且つ表示板にはつまみ本体の下側に設置したスイッチ機構を押圧する押圧部を設けることが好ましい。
【０００８】
また、本発明にかかるつまみは、回転式電子部品本体上にこの回転式電子部品本体を操作してその出力を変化させる回転式のつまみを取り付けてなる回転式電子部品のつまみとして用いることが好ましい。
【０００９】
【発明の実施の形態】
以下、本発明の実施の形態を図面を参照して詳細に説明する。
図１は本発明の一実施形態にかかるつまみを用いた回転式電子部品を示す概略断面図であり、図２と図３は回転式電子部品の分解斜視図であり、両者を合わせて回転式電子部品全体の分解斜視図になるものである。
【００１０】
図１に示すようにこの回転式電子部品は、取付板１０の上に、フレキシブル基板２０と下面に摺動子３０を取り付けた回転型物４０と、クリックバネ５０と、クリック板６０と、ケース７０と、つまみ１００（つまみ本体８０と表示板９０）とを取り付けて構成されている。以下各構成部品について説明する。
【００１１】
取付板１０は、円板状の剛性を有する金属板製であり、その外周４箇所に取付孔１１を設けて構成されている。
【００１２】
フレキシブル基板２０は、略円形状に形成された可撓性を有する合成樹脂製フイルム上にスイッチ接点パターン２１を設け、上記取付板１０の取付孔１１に対向する位置に取付孔２２を設けて構成されている。スイッチ接点パターン２１は摺動式スイッチ用のパターンであり、２列のパターン２１１、２１２によって構成されている。なお、フレキシブル基板２０の外周部分にはこれを外部に引き出す引き出し部２３が引き出されており、図示しないが各パターン２１１、２１２からの引き出し回路パターンがこの引き出し部２３に引き出されている。
【００１３】
摺動子３０は、弾性金属板製であり、基部３１から下方向に２本のアーム３２を折り曲げ、その先端にそれぞれ摺接部３３を設けて構成されている。基部３１には取付孔３４が設けられている。
【００１４】
回転型物４０は、合成樹脂を略円板状に成形して構成されており、その上面中央から突起部４１が突出し、その上面には３つの貫通する円弧状の孔４２が設けられている。突起部４１の周囲には、４つの小突起４３が設けられている。また、この回転型物４０の下面は凹状となっており、上記摺動子３０を固定する小突起４４が突出している。
【００１５】
クリックバネ５０は、弾性金属板をリング状に形成して構成されており、弾接部５１を設け、上記回転型物４０の小突起４３に対向する位置に穴５２が設けられている。
【００１６】
クリック板６０は、金属板を略リング状に形成して構成されており、その中央には開口６１が設けられ、等間隔で貫通するクリック係合穴６２が設けられている。クリック板６０の外周の所定位置には舌片状の２つの係止突部６３が設けられている。
【００１７】
ケース７０は、モールド樹脂製であり、下面が開口された円形の箱型に形成されており、上部中央には貫通する開口７１を設け、外周下面の上記フレキシブル基板２０の各取付孔２２に対向する位置には小突起７２が突出している。ケース７０の下面には、クリック板６０の外周と同一形状の凹部が設けられている。
【００１８】
図４は組み立てたつまみ１００を裏面側から見た斜視図である。つまみ１００は、つまみ本体８０と表示板９０により構成されている。つまみ本体８０は、モールド樹脂を略円板状に形成して構成され、上面及び下面に円形の凹部８１、８２が設けられ、上部中央に貫通する開口８３が設けられている。凹部８１には、対向する所定の位置に２つの円弧状の貫通する開口８４が設けられ、開口８４内にはその内側面の一端からそれぞれつまみ本体８０の面方向（円周方向）に向かって円弧状に伸びる弾性変形するアーム８５が設けられている。このアーム８５の先端には、それぞれ係止突起８６、８７を下方向に突出して係止部が形成されている。また、つまみ本体８０の下面中央から３本の円弧状の突起８８が突出している。
【００１９】
表示板９０は、モールド樹脂を円板状に形成して構成され、下面中央に突起部９１を設け、下面外周近傍の上記つまみ本体８０のアーム８５と対向する位置に２つのコ字状の係止部９２を設けている。
【００２０】
次にこの回転式電子部品の組立方法を説明する。まず、回転型物４０の上面にクリックバネ５０を配置し、回転型物４０の小突起４３をクリックバネ５０の穴５２に挿入し、クリックバネ５０の上面から突出した小突起４３先端を熱カシメすることで回転型物４０とクリックバネ５０とを一体に固定する。また、回転型物４０の下面に摺動子３０を配置し、回転型物４０の小突起４４を摺動子３０の取付孔３４に挿入し、上記と同様に小突起４４の先端を熱カシメすることで回転型物４０と摺動子３０を一体に固定する。
【００２１】
次にケース７０の下面のクリック板６０の外周と同一形状の凹部にクリック板６０を取り付ける。なお、上記凹部にグリスなどを装填し、ケース７０とクリック板６０の密着性を高くしてもよい。
【００２２】
次につまみ本体８０の上面に表示板９０を配置し、この表示板９０をつまみ本体８０の凹部８１に挿入する。このとき表示板９０の係止部９２をつまみ本体８０の開口８４のアーム８５の先端側に挿入する。上記状態から表示板９０を所定角度上から見て左に回転させることで、図４に示すようにアーム８５の先端が係止部９２内に挿入され、係止部９２がアーム８５の係止突起８６、８７の間に入ることで係合し、つまみ本体８０と表示板９０を係合・固定する。すなわち、つまみ本体８０のアーム８５の先端に設けられた係止突起８６、８７からなる係止部と表示板９０の係止部９２とで係合機構を構成している。
【００２３】
次につまみ本体８０に表示板９０が取り付けられたつまみ１００の下面にケース７０を配置し、つまみ本体８０の突起８８をケース７０の開口７１に回動自在に挿入して軸支する。
【００２４】
次に摺動子３０とクリックバネ５０を取り付けた回転型物４０をケース７０の下面に収納するが、その際つまみ１００の３つの突起８８を回転型物４０の孔４２に挿入し、回転型物４０の下面から突出した突起８８の先端を熱カシメすることでつまみ１００と回転型物４０とを一体に固定する。
【００２５】
次に回転型物４０の下側にフレキシブル基板２０と取付板１０とを配置し、ケース７０外周下面の各小突起７２をフレキシブル基板２０の各取付孔２２及び取付板１０の各取付孔１１に挿入してその裏面側で各小突起７２の先端を熱カシメして固定する。これによってこの回転式電子部品の組立を完了する。なお、この回転式電子部品のつまみ１００を除いた部分全体が回転式電子部品本体を構成する。
【００２６】
次にこの回転式電子部品の動作を説明する。図１においてつまみ１００を回転すればこれと一体に回転型物４０が回転し、摺動子３０がフレキシブル基板２０のスイッチ接点パターン２１上を摺動してそのオンオフ状態を変化すると同時に、クリックバネ５０の弾接部５１がクリック板６０のクリック係合穴６２への挿入・離脱を繰り返すことでクリック感覚を生じる。
【００２７】
上記のようにつまみ本体８０のアーム８５の先端に設けられた係止突起８６、８７からなる係止部と表示板９０の係止部９２からなる係合機構によってつまみ本体８０と表示板９０を確実に係合することができるとともに、つまみの厚さ部分を利用して係合機構を設けたのでつまみ１００の薄型化が図れる。また、表示板９０はモールド樹脂製なのでつまみ１００を多彩な色彩とすることにより高級感を出すことができる。なお、上記実施形態においては、つまみ本体８０に表示板９０を取り付けてから回転式電子部品を組み立てる例を示したが、表示板９０以外の回転式電子部品を組み立ててから表示板９０をつまみ本体８０に係合させてもよい。
【００２８】
図５は、本発明の他の実施形態にかかるつまみを用いた回転式電子部品を示す図である。本回転式電子部品が図１に示す回転式電子部品と相違する点は、表示板９０に押圧部９３を設け、フレキシブル基板２０にスイッチ接点２４、可動接点板２５を設けたことである。
【００２９】
フレキシブル基板２０に設けられたスイッチ接点２４は、押圧スイッチ用のパターンであり、中央のパターンとその周囲を囲んで可動接点板２５の外周を当接するパターンとによって構成されている。また、可動接点板２５は、金属板製であり、押圧時に可動接点板２５が反転することにより、上述の中央のパターンとその周囲を囲むパターンが導通し、スイッチがオンとなる。
【００３０】
表示板９０に設けられた押圧部９３は、表示板９０の下面中央の突起部９１の先端から下側に突出するように設けられており、押圧部９３は回転型物４０中央に設けられた開口４５に上下動自在に軸支され、上記可動接点板２５の上面に押圧部９３の先端が当接するように配置されている。このとき、表示板９０の下面とつまみ本体８０の凹部８１の上面の間に隙間ができるように構成している。このとき、つまみ本体８０のアーム８５は上側に少したわんだ状態でもよいし、たわまない状態でもよい。
【００３１】
表示板９０を押圧すると、表示板９０の押圧部９３が可動接点板２５を押圧し、可動接点板２５が反転することでスイッチ接点２４がオンとなる。一方、つまみ１００を回転すれば、上記実施形態と同様にスイッチ接点パターン２１がオンオフする。
【００３２】
上記のように、表示板９０に押圧部９３を設けてこの表示板９０に押圧スイッチの押圧つまみの機能を合せ持たせたので、別途押圧部材を設ける必要がなく、部品点数の削減とつまみの薄型化が図れる。
【００３３】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、本実施形態では、つまみ本体８０に設けられた面方向に伸びる弾性変形するアーム８５と表示板９０に設けられた該アーム８５に係合する係止部９２で係合機構を構成したが、本発明はこれに限定されるものではなく、表示板９０にアームを設け、つまみ本体に係止部を設けることで係合機構を構成しても良い。
【００３４】
【発明の効果】
以上詳細に説明したように本発明によれば、以下のような優れた効果を有する。
▲１▼つまみ本体と表示板間に、表示板をつまみ本体上に載置して回転することで係合する係合機構を設けたので、係合機構によってつまみが厚くなることがなくその薄型化が図れ、同時につまみ本体と表示板を確実に係合することができる。また、つまみを多彩な色彩とすることにより高級感を出すことができる。
【００３５】
▲２▼また、表示板をアームによってつまみ本体に対して所定の隙間を設けた状態で上下動自在に支持し、且つ表示板につまみ本体の下側に設置したスイッチ機構を押圧する押圧部を設けたので、別途押圧部材を設けなくても表示板に押圧つまみの機能を併せ持たせることができ、部品点数の削減とつまみの薄型化が図れる。
【００３６】
▲３▼また、回転式電子部品に用いるつまみに本発明にかかるつまみを用いれば、回転式電子部品の薄型化が図れる。
【図面の簡単な説明】
【図１】本発明にかかるつまみを用いた回転式電子部品を示す概略断面図である。
【図２】回転式電子部品の上半分の分解斜視図を示す図である。
【図３】回転式電子部品の下半分の分解斜視図を示す図である。
【図４】つまみ１００を裏面側から見た斜視図である。
【図５】本発明にかかる他のつまみを用いた回転式電子部品を示す概略断面図である。
【符号の説明】
１０  取付板
２０  フレキシブル基板
２１  スイッチ接点パターン
２４  スイッチ接点パターン
２５  可動接点板
３０  摺動子
３２  アーム
３３  摺接部
４０  回転型物
５０  クリックバネ
５１  弾接部
６０  クリック板
６２  クリック係合穴
７０  ケース
８０  つまみ本体
８１  凹部
８４  開口
８５  アーム
８６  係止突起
８７  係止突起
９０  表示板
９２  係止部
９３  押圧部
１００  つまみ
【図１】
0003821683.tif 000002
【図２】
0003821683.tif 000003
【図３】
0003821683.tif 000004
【図４】
0003821683.tif 000005
【図５】
0003821683.tif 000006